Podtech/llm-jp-corpus-v4-ja_patent huggingface dataset:
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
カテーテルに固定された、動いているカメラから複数の画像を受け取る工程と、
前記カメラに対してその位置が固定された特徴に対する画像内に示される解剖学的特徴の塊の中心の平均回転を計算する工程と、
前記解剖学的特徴が固定され且つ位置が前記カメラに対して固定された前記特徴が動いて示された状態で出力画像と通信する工程と、を有する映像ディスプレイプロセス。
【請求項２】
心臓内に位置されたカメラを動かしながら心臓組織の画像を安定化させる方法であって、
左心房内に焼灼カテーテルを提供する工程であって、前記焼灼カテーテルは、拡張可能な膜と、前記拡張可能な膜の外側表面に固定された複数の電極と、前記拡張可能な膜内に位置され、前記拡張可能な膜が拡張された構成にあるときに前記複数の電極の位置に対して固定された視野を備える少なくとも一つのカメラと、光源と、を有する、工程と、
前記左心房内の前記カメラの移動に応答して、且つ前記カメラが移動されている間に、心臓組織の位置が固定され前記視野内の前記複数の電極が移動している状態で前記心臓組織の映像を表示する工程と、を有する方法。
【請求項３】
心臓組織の画像に追加情報を重ね合わせる方法であって、
左心房内に焼灼カテーテルを位置させる工程であって、前記焼灼カテーテルは、拡張可能な膜と、前記拡張可能な膜の外側表面に固定された複数の電極と、前記拡張可能な膜内に位置される少なくとも一つのカメラと、光源と、を有する、工程と、
前記少なくとも一つのカメラで画像をキャプチャする工程であって、前記画像は、前記複数の電極の少なくとも一つと前記心臓組織の、少なくとも一つを示す、工程と、
前記心臓組織の特性と前記焼灼カテーテルの特性との少なくとも一つを示す追加情報を取得する工程と、
前記画像に重ね合わされた前記追加情報と共に、前記複数の電極の少なくとも一つと前記心臓組織と、の少なくとも一つを示す前記画像を表示する工程と、を有する、方法。
【請求項４】
請求項３に記載された方法において、
前記追加情報は、前記複数の電極の一つに隣接した心臓組織の標識を有する、方法。
【請求項５】
請求項４に記載された方法において、
前記追加情報は、前記複数の電極の一つに隣接した心臓組織の温度を有する、方法。
【請求項６】
請求項３に記載された方法において、
前記追加情報は、定性的な標識である、方法。
【請求項７】
請求項３に記載された方法において、
前記追加情報は、定量的な標識である、方法。
【請求項８】
請求項３に記載された方法において、
前記追加情報は、前記複数の電極の少なくとも一つの状態を有する、方法。
【請求項９】
請求項８に記載された方法において、
前記状態は、オン又はオフである、方法。
【請求項１０】
拡張可能な膜及び前記拡張可能な膜の外側に固定される複数の焼灼電極と、
前記拡張可能な膜の中に配置される少なくとも一つの画像化部材であって、前記複数の焼灼電極を含む視野を有する、画像化部材と、
前記複数の電極の各々に関連し、且つ前記複数の電極の各々が視覚的に特定可能であり得るために前記視野内で視覚的に特定可能に構成された電極識別子と、を有する、焼灼カテーテル。
【請求項１１】
請求項１０に記載されたカテーテルにおいて、
前記電極識別子は、前記電極の各々の上又は近くに英数字を有する、カテーテル。
【請求項１２】
請求項１０に記載されたカテーテルにおいて、
前記電極識別子は、前記電極の各々に関連した色である、カテーテル。
【請求項１３】
請求項１０に記載されたカテーテルにおいて、
前記電極識別子は、前記電極の形である、カテーテル。
【請求項１４】
請求項１０に記載されたカテーテルにおいて、
前記電極識別子は、前記複数の電極の少なくとも一つのための識別子の第１型と、前記複数の電極の少なくとも二つ目のための識別子の第２型である、カテーテル。
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
ターゲット上で実施されるレーザーショックピーニング工程のための工程診断方法であって、
レーザーパルスを発生させ、前記ターゲットに伝送させるためのデバイスを提供するステップと、
前記ターゲットの表面が前記レーザーパルスによって衝突されるように前記ターゲットをレーザー経路に位置させるステップと、
前記レーザーパルスが通過できるように入射レーザー光に対して透明である固体媒体を前記レーザー経路に位置させるステップと、
流体を供給するステップであって、前記レーザーパルスの通過経路においてあらゆる空気−流体界面を除去するため、前記流体が前記固体媒体及び前記ターゲットと直接接触するように、前記固体媒体と前記ターゲットの接触面との間に配置された流体流路に流体を供給するステップと、
一定厚さの流体層を制御するステップであって、前記レーザーパルスが前記ターゲットをたたいた後に発生するプラズマ気泡の崩壊に際し、前記流体層におけるキャビテーションを通した二次ショック事象の発生を制御するように流体層を制御するステップと、及び
各レーザーパルスによって前記ターゲットに運ばれたエネルギーを監視するために、泡エネルギーの測定として、前記プラズマ気泡の第１の気泡振動周期を決定するステップと、
を含む方法。
【請求項２】
前記プラズマ気泡の膨張及び収縮の目視検査により前記第１の気泡振動周期が決定される、請求項１に記載の方法。
【請求項３】
レーザー誘起キャビテーション事象によって放出された第１及び第２の衝撃波の間の時間差の観測により前記第１の気泡振動周期が決定される、請求項１に記載の方法。
【請求項４】
前記プラズマ気泡の膨張及び収縮サイクルの光学検査により前記第１の気泡振動周期が決定される、請求項１に記載の方法。
【請求項５】
前記第１の気泡振動周期が音響的に決定される、請求項１に記載の方法。
【請求項６】
前記レーザーパルスからのプラズマ膨張によって発生した第１の衝撃波及びキャビテーション気泡の崩壊の際に発生した第２の衝撃波からの圧力差に関連した音響信号を検出することによって第１の気泡振動周期を決定する水中聴音器の使用を含む、請求項５に記載の方法。
【請求項７】
ターゲット上で実施されるレーザーショックピーニング法のための工程診断システムであって、
レーザーパルスを発生させ、且つ前記ターゲットに伝送させるためのデバイスと、
流体を供給するための流体源と、
使用中に流体が供給される入口と、
使用中に流体が分注される出口と、
前記入口と前記出口との間に配置された流体流路と、
前記レーザーパルスが通過することを可能にさせる、入射レーザー光に対して透明である固体媒体であって、前記流体が前記固体媒体及び前記ターゲットと直接接触し、その結果、前記レーザーパルスの通過経路においてあらゆる空気−流体界面を除去するように、前記流体流路は使用中に、前記レーザーショックピーニング工程の間に、前記固体媒体と前記ターゲットとの間に挟まれている、固体媒体と、
前記レーザーパルスが前記ターゲットをたたいた後に発生するプラズマ気泡の崩壊に際し、流体層におけるキャビテーションを通した二次ショック事象の発生を制御するために、前記固体媒体と前記ターゲットとの間の前記流体層の厚さを制御するための手段と、
各レーザーパルスによって前記ターゲットに運ばれたエネルギーを監視するために、泡エネルギーの測定として、前記プラズマ気泡の第１の気泡振動周期を決定するための手段と、を含むシステム。
【請求項８】
第１の気泡振動周期を決定するための前記手段は、前記第１の気泡振動周期を記録するための手段を含む、請求項７に記載のシステム。
【請求項９】
前記プラズマ気泡の前記第１の気泡振動周期を決定するための前記手段は、前記第１の気泡振動周期が前記プラズマ気泡の膨張及び収縮の検査を通して決定されることができるように視覚的である、請求項７または８に記載のシステム。
【請求項１０】
前記プラズマ気泡の前記第１の気泡振動周期を決定するための前記手段は、前記第１の気泡振動周期がレーザー誘起キャビテーション事象によって放出された第１及び第２の衝撃波の間の時間差の観測により決定されることができる、請求項７または８に記載のシステム。
【請求項１１】
前記プラズマ気泡の前記第１の気泡振動周期を決定するための前記手段は、前記第１の気泡振動周期が前記プラズマ気泡の膨張及び収縮サイクルの光学検査によって決定されるように光学的である、請求項７に記載のシステム。
【請求項１２】
前記プラズマ気泡の前記第１の気泡振動周期を決定するための前記手段は音響的である、請求項７に記載のシステム。
【請求項１３】
前記プラズマ気泡の前記第１の気泡振動周期を決定するための前記手段は、前記レーザーパルスからのプラズマ膨張によって発生した第１の衝撃波及びキャビテーション気泡の崩壊の際に発生した第２の衝撃波からの圧力差に関連した音響信号を検出することによって第１の気泡振動周期を決定するための水中聴音器を含む、請求項１２に記載のシステム。
【請求項１４】
前記流体流路は、層状の前記流体層の厚さが少なくとも約１０ｍｍとなるように配置されている、請求項７から１３のいずれか一項に記載のシステム。
【請求項１５】
前記レーザー発生装置は、約０．５から１００ＧＷ／ｃｍ２の間の強度のレーザーパルスを発生させることができる、請求項７から１４のいずれか一項に記載のシステム。
【請求項１６】
前記レーザーパルスの強度は、約０．５から１０ＧＷ／ｃｍ２の間にある、請求項１５に記載のシステム。
【誤訳訂正書】
【提出日】平成28年12月14日(2016.12.14)
【誤訳訂正１】
【訂正対象書類名】明細書
【訂正対象項目名】０００２
【訂正方法】変更
【訂正の内容】
【０００２】
車両は、駆動時に荷電しうる。放電プロセスを回避するために、静電荷を十分に放散させる対策を講じなければならない。静電荷を放散させることができるようにするために、タイヤの構成要素は導電性とされ、車両用空気式タイヤの車道との接触面から、車両用空気式タイヤのタイヤリムとの接触領域まで導電路を形成する。これは、例えば、導電性ゴム混合物の使用によって達成することができる。
【誤訳訂正２】
【訂正対象書類名】特許請求の範囲
【訂正対象項目名】全文
【訂正方法】変更
【訂正の内容】
【特許請求の範囲】
【請求項１】
１つの上部構造体（４）と、１つのカーカス（３）と、それぞれ１つのビードベース部を有する２つのタイヤビード部（２）とを備える車両用空気式タイヤ（１）であって、前記カーカス（３）が、一方のビードベース部から前記上部構造体（４）を介して他方のビードベース部に延び、前記上部構造体（４）および少なくとも１つのビードベース部が、導電性に構成されていて、前記カーカス（３）が、導電性に構成されていなく、少なくとも１つのカーカスプライ（１１）を有し、前記カーカスプライ（１１）の表面が、導電性材料からなるオーバレイ（１４）を有する当該車両用空気式タイヤ（１）において、
−前記オーバレイ（１４）が、導電性ゴム混合物であること、
−前記カーカスプライ（１１）が、前記導電性ビードベース部（９）から前記上部構造体（４）の領域まで延び、前記カーカスプライ（１１）の当該オーバレイ（１４）に覆われた表面が、前記上部構造体（４）と前記導電性ビードベース部（９）とに接触すること、
−前記カーカスプライ（１１）の表面上の前記オーバレイ（１４）が、前記導電性ビードベース部（９）から前記上部構造体（４）の領域まで連続して延びていること、及び
−前記オーバレイ（１４）が、前記導電性ビードベース部（９）と前記上部構造体（４）との双方に電気接触する結果、前記導電性ビードベース部（９）と前記上部構造体（４）とが、導電性に互いに接続されていることを特徴とする車両用空気式タイヤ（１）。
【請求項２】
前記オーバレイ（１４）は、前記カーカス（３）に対して外側で前記上部構造体（４）と前記導電性ビードベース部（９）との間に延在することを特徴とする請求項１に記載の車両用空気式タイヤ（１）。
【請求項３】
前記カーカスプライ（１１）は、前記上部構造体（４）の領域内で終端し、少なくともその終点（１８）で前記上部構造体（４）と接触すること、
前記オーバレイ（１４）が、前記カーカスプライ（１１）の軸方向内側で、前記電導性ビードベース部（９）と前記上部構造体（４）との間に延びていること、及び
前記オーバレイ（１４）が、前記上部構造体（４）の領域内で前記カーカスプライ（１１）の前記終点（１８）までか又は前記終点（１８）を越えて延び、前記上部構造体（４）と前記導電性ビードベース部（９）との双方に接触することを特徴とする請求項１または２に記載の車両用空気式タイヤ（１）。
【請求項４】
前記オーバレイ（１４）は、前記車両用空気式タイヤ（１）の全周にわたって又は当該円周の少なくとも一部の領域にわたって延びていることを特徴とする請求項１〜３のいずれか１項に記載の車両用空気式タイヤ（１）。
【請求項５】
前記オーバレイ（１４）は、前記カーカスプライ（１１）の全長にわたって又は前記全長の少なくとも一部の領域にわたって延びていることを特徴とする請求項１〜４のいずれか１項に記載の車両用空気式タイヤ（１）。
【請求項６】
前記オーバレイ（１４）の厚さは、０．００５ｍｍ〜６．０ｍｍ又は０．０１ｍｍ〜２．５ｍｍであることを特徴とする請求項１〜５のいずれか１項に記載の車両用空気式タイヤ（１）。
【請求項７】
１つの導電性の上部構造体（４）と、２つのビードベース部と、１つのカーカス（３）とを有する車両用空気式タイヤを製造する方法であって、前記カーカス（３）が、一方のビードベース部から前記上部構造体（４）を介して他方のビードベース部に延び、前記上部構造体（４）および少なくとも１つのビードベース部が導電性に構成されていて、前記カーカス（３）が導電性に構成されていない当該方法において、以下の：
ａ）カーカスプライ（１１）をカレンダで製造するステップと、
ｂ）前記カーカスプライ（１１）の表面を、導電性ゴム混合物から成る連続するオーバレイ（１４）で覆い、このオーバレイ（１４）が、完成された前記車両用空気式タイヤ（１）内で導電性ビードベース部（９）と前記導電性上部構造体（４）の領域とに接触するステップと、
ｃ）前記オーバレイ（１４）を有する前記カーカスプライ（１１）をタイヤ構築ドラム上に配置するステップと、
ｄ）前記カーカス（３）を仕上げるステップと、
ｅ）前記車両用空気式タイヤ（１）をさらなるステップで仕上げるステップとを含む方法。
【請求項８】
ステップｂ）で前記カーカスプライ（１１）を前記オーバレイ（１４）で覆うことは、前記カレンダでおよび／または前記カレンダの後方で実行されることを特徴とする請求項７に記載の方法。
【請求項９】
前記カーカスプライ（１１）は、ステップｂ）時にその全幅にわたって又はその幅の少なくとも一部にわたって前記オーバレイ（１４）で覆われることを特徴とする請求項７または８に記載の方法。
【請求項１０】
前記カーカスプライ（１１）は、ステップｂ）時にその長手方向の範囲全体にわたって又はその長手方向の範囲の少なくとも一部の領域にわたって前記オーバレイ（１４）で覆われることを特徴とする請求項７〜９のいずれか１項に記載の方法。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
前立腺癌をステージングする診断プロセスにおいてユーザを支援する支援装置であって、
解剖学的対象として前立腺の３次元画像を提供する画像提供ユニットと、
前記提供された３次元画像に基づいて、対象の３次元セグメントを決定するセグメント化ユニットであって、前記３次元セグメントが、解剖学的セグメント境界及び非解剖学的セグメント境界を有する、セグメント化ユニットと、
前記画像内に前記３次元セグメントの視覚表現を生成する視覚表現生成ユニットと、
ユーザが前記決定された３次元セグメントにスコアを割り当てることを可能にするグラフィカルユーザインタフェースを提供するグラフィカルユーザインタフェース提供ユニットと、
前記視覚表現及び前記グラフィカルユーザインタフェースを表示するディスプレイと、
を有する支援装置。
【請求項２】
前記セグメント化ユニットが、
解剖学的セグメント境界及び非解剖学的セグメント境界を有する前記対象の解剖学的モデルを提供し、
前記３次元画像において、前記解剖学的モデルの前記解剖学的セグメント境界に対応する前記対象の解剖学的フィーチャを検出し、
前記解剖学的セグメント境界を前記検出された解剖学的フィーチャに適応させることによって、前記対象の前記解剖学的モデルを適応させる、
ことによって前記３次元セグメントを決定し、前記３次元セグメントが、前記適応された解剖学的モデルの解剖学的及び非解剖学的セグメント境界によって規定される、請求項１に記載の支援装置。
【請求項３】
前記支援装置は更に、前記決定された３次元セグメントについて、該３次元セグメントの画像値に基づいて該３次元セグメントの特性を示す特性値を決定する特性値決定ユニットを有する、請求項１に記載の支援装置。
【請求項４】
前記画像提供ユニットは、前記解剖学的対象の異なる画像を提供し、前記セグメント化ユニットは、１又は複数の提供される画像に基づいて、前記対象の３次元セグメントを決定し、前記視覚表現生成ユニットは、前記画像内に前記セグメントの視覚表現を生成する、請求項１に記載の支援装置。
【請求項５】
前記画像提供ユニットが、前記対象の異なるパラメトリック磁気共鳴画像を提供する、請求項４に記載の支援装置。
【請求項６】
前記画像提供ユニットは、それぞれ異なるイメージングモダリティによって生成される画像を提供する、請求項４に記載の支援装置。
【請求項７】
前記画像提供ユニットが、前記提供された画像を互いに対し位置合わせする、請求項４に記載の支援装置。
【請求項８】
前記画像提供ユニットが、解剖学的３次元画像及び機能画像を提供し、
前記画像提供ユニットが、前記解剖学的画像を前記機能画像と位置合わせし、
前記セグメント化ユニットが、前記解剖学的画像に基づいて前記対象の３次元セグメントを決定し、
前記視覚表現生成ユニットが、前記解剖学的画像及び前記機能画像内に前記セグメントの視覚表現を生成し、前記機能画像において、前記セグメントは、前記解剖学的画像と前記機能画像との間の位置合わせに基づいて視覚化される、請求項７に記載の支援装置。
【請求項９】
前記グラフィカルユーザインタフェース提供ユニットは、ユーザがセグメントを変更することを可能にするグラフィカルユーザインタフェースを提供する、請求項１に記載の支援装置。
【請求項１０】
前記視覚表現生成ユニット及び前記グラフィカルユーザインタフェース提供ユニットは、ユーザが、任意の順序で前記決定されたセグメントをビューし、前記決定されたセグメントにスコアを割り当てることを可能にし、
前記視覚表現生成ユニットは、スコアが割り当てられていない残りのセグメントを示す視覚表現を生成する、請求項１に記載の支援装置。
【請求項１１】
前記グラフィカルユーザインタフェース提供ユニットは、セグメントに対するスコアの割り当てが完了されていることをユーザが示すことを可能にするグラフィカルユーザインタフェースを提供し、
前記視覚表現生成ユニットは、スコアの割り当てがどのセグメントについて完了されているかを視覚化する視覚表現を生成する、請求項１に記載の支援装置。
【請求項１２】
前記支援装置が、スコアとセグメントとの間の割り当てに基づいて診断プロセスに関するリポートを生成するリポート生成ユニットを更に有する、請求項１に記載の支援装置。
【請求項１３】
前記支援装置は、前記セグメントを視覚化する順序を規定するタスクのワークフローを提供するワークフロー提供ユニットを更に有し、前記視覚表現生成ユニットは、前記ワークフローによって規定される順序に従って前記セグメントの視覚表現を生成する、請求項１に記載の支援装置。
【請求項１４】
前立腺癌をステージングする診断プロセスにおいてユーザを支援する支援方法であって、
画像提供ユニットによって、解剖学的対象として前立腺の３次元画像を提供するステップと、
セグメント化ユニットによって、前記提供された３次元画像に基づいて前記対象の３次元セグメントを決定するステップであって、前記３次元セグメントが解剖学的セグメント境界及び非解剖学的セグメント境界を有する、ステップと、
視覚表現生成ユニットによって、前記画像内に前記セグメントの視覚表現を生成するステップと、
グラフィカルユーザインタフェース提供ユニットによって、ユーザが前記決定された３次元セグメントにスコアを割り当てることを可能にするグラフィカルユーザインタフェースを提供するステップと、
ディスプレイによって、前記視覚表現及び前記グラフィカルユーザインタフェースを表示するステップと、
を有する支援方法。
【請求項１５】
前立腺癌をステージングする診断プロセスにおいてユーザを支援する支援コンピュータプログラムであって、前記支援コンピュータプログラムが請求項１に記載の支援装置を制御するコンピュータ上でランされるとき、前記支援装置に請求項１４に記載の支援方法の各ステップを実施させるプログラムコード手段を有する、支援コンピュータプログラム。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
患者に呼吸ガス流を送出するためのガス送出システムにおいて、前記システムは、
前記呼吸ガス流を発生させるための送風機のアセンブリ
を有し、前記送風機のアセンブリは、
回転エネルギーの供給源、
前記回転エネルギーの供給源に結合される無段変速機（ＣＶＴ）、
前記無段変速機に結合される羽根車、及び
前記患者の気道に前記呼吸ガス流を送出するための前記送風機のアセンブリに結合される患者インタフェースを持つ患者回路
を有する、システム。
【請求項２】
前記回転エネルギーの供給源は、モーターである請求項１に記載のガス送出システム。
【請求項３】
前記モーターは、電気モーターである請求項２に記載のガス送出システム。
【請求項４】
前記モーターは、ブラシレス電気モーターである請求項３に記載のガス送出システム。
【請求項５】
前記無段変速機は、コーン型のＣＶＴである請求項１に記載のガス送出システム。
【請求項６】
前記無段変速機は、トロイダルＣＶＴである請求項１に記載のガス送出システム。
【請求項７】
前記無段変速機は、可変直径プーリーＣＶＴである請求項１に記載のガス送出システム。
【請求項８】
前記無段変速機は、可変直径プーリー（ＶＤＰ）又はリーブスドライブ、トロイダルＣＶＴ、磁気ＣＶＴ、無限無段変速機、ラチェット式ＣＶＴ、静油圧ＣＶＴ、コーンＣＶＴ、ラジアルローラーＣＶＴ及び遊星ＣＶＴからなる集合から選択される請求項１に記載のガス送出システム。
【請求項９】
前記回転エネルギーの供給源は、電気モーター、油圧モーター、空気圧モーター、燃焼機関、蒸気タービン、ガスタービン又は手動クランクからなる集合から選択される請求項１に記載のガス送出システム。
【請求項１０】
回転エネルギーを発生させるステップ、
前記回転エネルギーを無段変速機（ＣＶＴ）を用いて羽根車に伝えることにより前記呼吸ガス流を発生させるための前記羽根車を駆動させるために、前記回転エネルギーを使用するステップ、及び
前記患者の気道に前記呼吸ガス流を送出するための患者インタフェースを持つ患者回路に前記呼吸ガス流を供給するステップ
を有する、ガス送出システムのための、呼吸ガス流を生成する方法。
【請求項１１】
前記無段変速機は、コーン型のＣＶＴである請求項１０に記載の方法。
【請求項１２】
前記無段変速機は、トロイダルＣＶＴである請求項１０に記載の方法。
【請求項１３】
前記無段変速機は、可変直径プーリーＣＶＴである請求項１０に記載の方法。
【請求項１４】
前記無段変速機は、可変直径プーリー（ＶＤＰ）又はリーブスドライブ、トロイダルＣＶＴ、磁気ＣＶＴ、無限無段変速機、ラチェット式ＣＶＴ、静油圧ＣＶＴ、コーンＣＶＴ，ラジアルローラーＣＶＴ及び遊星ＣＶＴからなる集合から選択される請求項１０に記載の方法。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
同一の所見用ユニーク識別子（ＦＵＩＤ）を用いて、患者の同じ所見についての種々異なるイベントからの電子形式の健診結果にタグを付けるステップと、
前記電子形式の健診結果を、所見用ユニーク識別子タグと共に記憶するステップと
を有し、
前記記憶され、タグ付けされた種々異なる電子形式の健診結果は、前記所見の発見から前記所見に対する直近のイベントまでの前記所見についての長期的な記録を提供し、
前記ＦＵＩＤは、前記所見が発見された施設の識別、患者の識別、及び前記所見のためのユニークな英数字を含む、
方法。
【請求項２】
同じ患者に対する及び同じ施設からの２つの種々異なる所見のための２つのＦＵＩＤは、施設の同じ識別及び患者の同じ識別であるが、前記所見のための種々異なるユニークな英数字を含む、請求項１に記載の方法。
【請求項３】
タグ付けするステップ及び記憶するステップの前に、新しく発見された所見である所見に応じて、前記所見のためのＦＵＩＤを生成するステップをさらに有する、請求項１又は２に記載の方法。
【請求項４】
患者の直前最終のＦＵＩＤを識別するステップと、
前記直前最終のＦＵＩＤに基づいて、ＦＵＩＤを生成するステップであって、前記ＦＵＩＤと直前最終のＦＵＩＤとは異なる当該ステップと
をさらに有する、請求項３に記載の方法。
【請求項５】
タグ付けするステップ及び記憶するステップの前に、既存の所見に対応するイベントに応じて、前記所見のための前記ＦＵＩＤを識別するステップをさらに有する、請求項１又は２に記載の方法。
【請求項６】
前記所見に識別されたＦＵＩＤでタグを付けるステップをさらに有する、請求項５に記載の方法。
【請求項７】
前記タグ付けされた種々異なる電子形式の健診結果は、複数の種々異なる医療施設にアクセス可能な中央データレポジトリに記憶される、請求項１ないし６のいずれか一項に記載の方法。
【請求項８】
特定のＦＵＩＤによって示される患者の特定の所見のための特定のプロトコルと、他の患者の前記特定の所見に対する対応する長期の結果との間の相関関係を導出するために、記憶された結果を処理するステップをさらに有する、請求項１ないし７のいずれか一項に記載の方法。
【請求項９】
前記相関関係は、患者生存、生活の品質、副作用、又は転移の進行の１つ以上に対応する、請求項８に記載の方法。
【請求項１０】
各異なる患者に対する各種々異なる所見のための単一ＦＵＩＤを記憶する所見用ユニーク識別子（ＦＵＩＤ）レポジトリと、
新しい所見のために新規ＦＵＩＤを生成し、前記新規ＦＵＩＤを前記ＦＵＩＤレポジトリに記憶する新規ＦＵＩＤの生成部と
を有し、
前記ＦＵＩＤレポジトリは、同じＦＵＩＤで同じ所見の電子データをタグ付けする複数の医療施設にアクセス可能であり、
前記記憶され、タグ付けされた種々異なる電子形式の健診結果は、前記所見の発見から前記所見の直近のイベントまでの前記所見の長期的な記録を提供し、
前記ＦＵＩＤは、前記所見が発見された施設の識別、患者の識別、及び前記所見のためのユニークな英数字を含む、
システム。
【請求項１１】
前記新規ＦＵＩＤの生成部は、新しく発見された所見である所見に応じて、前記所見のための新規ＦＵＩＤを生成する、請求項１０に記載のシステム。
【請求項１２】
前記新規ＦＵＩＤの生成部は、患者の直前最終のＦＵＩＤを識別し、前記直前最終のＦＵＩＤに基づいてＦＵＩＤを生成し、
前記ＦＵＩＤと前記直前最終のＦＵＩＤとは異なる、
請求項１１に記載のシステム。
【請求項１３】
前記新規ＦＵＩＤの生成部は、既存の所見に対応するイベントに応じて、前記所見のための前記ＦＵＩＤを識別する、請求項１０に記載のシステム。
【請求項１４】
特定のＦＵＩＤによって示される患者の特定の所見のための特定のプロトコルと、他の患者の前記特定の所見に対する対応する長期の結果との間の相関関係を導出するために、記憶された結果を処理するデータ評価部をさらに有する、請求項１０ないし１３のいずれか一項に記載のシステム。
【請求項１５】
１つ以上のコンピュータ実行可能命令がエンコードされたコンピュータ可読記憶媒体であって、コンピューティングシステムのプロセッサによって実行されると、前記プロセッサに、
同一の所見用ユニーク識別子（ＦＵＩＤ）を用いて、患者の同じ所見についての種々異なるイベントからの電子形式の健診結果にタグを付けさせ、
前記電子形式の健診結果を、所見用ユニーク識別子タグと共に記憶し、これによって、前記所見の発見から前記所見の直近のイベントまでの所見に対する長期的な記録を作成し、
前記ＦＵＩＤは、前記所見が発見された施設の識別、患者の識別、及び前記所見のためのユニークな英数字を含む、
コンピュータ可読記憶媒体。
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
長手軸を有する磁心であって、空気に対して高い透磁率を有する材料を含み、及び前記磁心の長さを伸長し、且つ動作中にその間を冷却液が流れる中空の内部領域を画定する、磁心と、
前記磁心上に連続的に配置されたコイルのアレイであって、前記コイルのアレイの各コイルが前記磁心の前記長手軸に巻回されている、コイルのアレイと、
前記コイルのアレイに沿って可動に取り付けられた磁石アセンブリであって、前記コイルのアレイに面したコイル側、及び前記コイルのアレイから反対方向に向いた反対側を有し、前記コイルのアレイに沿って前記長手軸に対して平行な方向に連続的に配置された永久磁石のアレイを含む、磁石アセンブリと、
前記コイルのアレイを取り囲むスリーブであって、前記磁石アセンブリが、前記スリーブに沿ってその外側に重なり、前記スリーブが、前記コイルのアレイから離間された内表面を有し、前記コイルのアレイを取り囲み且つその長さを伸長し、動作中にその間を冷却液が流れる外側の冷却液流れチャネルを形成する、スリーブと、
前記磁心の一方の端部に配置されたマニホルドであって、第１のポート及び第２のポートを有し、前記第１のポートが、前記冷却液を受け取り、前記コイルのアレイを冷却するための前記磁心の中空の内部領域に前記冷却液を運搬するためのものであり、前記第２のポートが、前記冷却液が前記磁心の中空の内部領域を通った後に電磁アクチュエータから流出するのを可能とするものである、マニホルドと、
前記マニホルドとは反対側の前記磁心の端部に配置された流れ方向転換板であって、前記磁心の中空の内部領域と外側の冷却液流れチャネルとの間で冷却液を運搬するための１又は２以上のチャネルを画定する、流れ方向転換板とを含む、前記電磁アクチュエータ。
【請求項２】
コイルのアレイが、コイルの直線アレイである、請求項１に記載の電磁アクチュエータ。
【請求項３】
磁石アセンブリが、複数の永久磁石のアレイを含み、第１の永久磁石のアレイが、前記複数の永久磁石のアレイのうちの１つであり、前記複数の永久磁石のアレイが、コイルのアレイの周りに配置されて、前記コイルのアレイをそのそれぞれが取り囲む複数の磁石リングを形成する、請求項１又は２に記載の電磁アクチュエータ。
【請求項４】
永久磁石のアレイが、永久輪形磁石のアレイであり、それぞれがコイルアレイを取り囲む、請求項１〜３のいずれかに記載の電磁アクチュエータ。
【請求項５】
磁心が、複数の磁心セグメントを含み、前記複数の磁心セグメントのそれぞれの磁心セグメントが、コイルのアレイの異なるコイルに連結される、請求項１〜４のいずれかに記載の電磁アクチュエータ。
【請求項６】
コイルのアレイ内のコイルがすべて、個別に制御可能である、請求項１〜５のいずれかに記載の電磁アクチュエータ。
【請求項７】
スリーブが円筒状である、請求項１〜６のいずれかに記載の電磁アクチュエータ。
【請求項８】
コイルアレイを取り囲み且つその長さを伸長するチャネルが、全体的に環状のチャネルである、請求項１〜７のいずれかに記載の電磁アクチュエータ。
【請求項９】
磁心が、鉄及び／又は鋼鉄を含む、請求項１〜８のいずれかに記載の電磁アクチュエータ。
【請求項１０】
コイルのアレイ内のコイルが、円筒状である、請求項１〜９のいずれかに記載の電磁アクチュエータ。
【請求項１１】
磁石のアレイが、＋Ｔ、＋Ｌ、及び−Ｔを得るように３つの磁石の磁場の方向が選択並びに配置された３つの磁石を順番に含み、
＋Ｔは、長手軸に対して直角に配向される磁場を示し、
−Ｔは、前記長手軸に対して直角であって＋Ｔとは反対の方向に配向される磁場を示し、
＋Ｌは、前記長手軸に対して平行に配向される磁場を示す、請求項１〜１０のいずれかに記載の電磁アクチュエータ。
【請求項１２】
マニホルドとスリーブとの間に流れ分配板をさらに備え、前記流れ分配板が、前記マニホルドの第１及び第２のポートの一つと、コイルアレイを取り囲む外側の冷却液流れチャネルとの間で冷却液を運搬するための１又は２以上のチャネルを画定する、請求項１〜１１のいずれかに記載の電磁アクチュエータ。
【請求項１３】
磁心が、コイルのアレイ内のコイルに電気的に接続する電線を保持するための１又は２以上の通路を含む、請求項１〜１２のいずれかに記載の電磁アクチュエータ。
【請求項１４】
磁心が、コイルのアレイの長さに沿って下方にそれぞれが伸長する２つのセグメントを含み、前記２つのセグメントが、前記コイルのアレイ内の前記コイルに電力を送達するための導電線として機能する、請求項１〜１３のいずれかに記載の電磁アクチュエータ。
【請求項１５】
磁石のアレイの各永久磁石が、特定の方向の磁場を特徴とし、前記磁石のアレイにおける磁石の前記磁場が、前記磁石アセンブリの前記コイル側に生成される磁場を強めるとともに前記磁石アセンブリの反対側に生成される磁場を弱めるように選択及び配置される、請求項１に記載の電磁アクチュエータ。
【請求項１６】
第１のポート、磁心の中空の内部領域、外側の冷却液流れチャネル、及び第２のポートがその順番で、アクチュエータの一方の端部から前記アクチュエータの反対側の端部への、及び逆の、冷却液の流路を形成する、請求項１に記載の電磁アクチュエータ。
【請求項１７】
第１のポートが入口であり、前記第２のポートが出口である、請求項１６に記載の電磁アクチュエータ。
【請求項１８】
磁心の中空領域内にコイルに近接して配置された複数の駆動回路をさらに備える、請求項１〜１７のいずれかに記載の電磁アクチュエータ。
【請求項１９】
複数の駆動回路の各駆動回路が、コイルのアレイのうちの対応する異なるコイルを駆動するためにそのコイル内に配置され且つ構成される、請求項１８に記載の電磁アクチュエータ。
【請求項２０】
磁心が、導電性材料で作られた２つの長手方向のセグメントを含み、前記２つのセグメントが、複数の駆動回路のための電力バスとして機能する、請求項１９に記載の電磁アクチュエータ。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
複数の電極（５，７）を使用する容量検出のための方法であって、前記電極は、それらの近傍の1つ以上の物体（１，２１，２２）の検出を容量結合によって可能にし得る方法において、
少なくとも第１の面及び第２の面に沿って、前記複数の電極（５，７）を形成し、
前記第２の面上の前記電極の少なくとも一部を第２の励起電位で分極し、
前記第１の面上の前記電極（５，７）の少なくとも一部を第１の励起電位で同時に分極するステップを備え、前記励起電位（４２，４３）は、これらの励起電位（４２，４３）の所定の継続時間にわたるスカラー積がゼロであるように、基準電位（１３）に対して生成されることを特徴とする方法。
【請求項２】
生成される前記励起電位（４２，４３）は、経時的に変化可能な少なくとも１つの励起電位を備える請求項１に記載の方法。
【請求項３】
生成される前記励起電位（４２，４３）は、異なる周波数の周期的な励起電位を備える請求項１又は請求項２に記載の方法。
【請求項４】
生成される前記励起電位（４２，４３）が少なくとも１つの励起電位を備え、該励起電位の周波数成分がスペクトル帯域にわたって広げられる請求項１から３のいずれか一項に記載の方法。
【請求項５】
生成される前記励起電位（４２，４３）は、直角位相を成す同じ周波数の２つの周期的な励起電位を備える請求項１から４のいずれか一項に記載の方法。
【請求項６】
生成される前記励起電位（４２，４３）が少なくとも１つの励起電位を備え、該励起電位の干渉信号とのスカラー積が最小化される請求項１から５のいずれか一項に記載の方法。
【請求項７】
生成される前記励起電位（４２，４３）は、基準電位にほぼ等しい少なくとも１つの励起電位を備える請求項１から６のいずれか一項に記載の方法。
【請求項８】
電極（５，７）の容量結合を測定するステップも備え、該ステップは、
電極の電荷の代表的な測定値の取得と、
前記電極（５，７）の励起電位（４２，４３）を使用することによる電荷の前記代表的な測定値の復調と、を備える請求項１から７のいずれか一項に記載の方法。
【請求項９】
複数の電極（５，７）を備える容量検出のための装置であって、前記電極は、それらの近傍の１つ以上の物体（１，２１，２２）の検出を容量結合によって可能にし得る装置において、
前記装置の少なくとも第１の面と第２の面であって、前記複数の電極が、少なくとも前記第１の面と前記第２の面に沿って形成されており、前記第２の面上の前記電極の少なくとも一部が、第２の励起電位で分極されるように構成されている、前記少なくとも第１の面と第２の面、及び
異なる励起電位（４２，４３）により前記第１の面上の前記電極（５，７）の少なくとも一部を第１の励起電位で同時に分極できる励起手段（３０，３１）を備え、前記励起電位（４２，４３）は、これらの励起電位（４２，４３）の所定の継続時間にわたるスカラー積がゼロであるように、基準電位（１３）に対して生成されることを特徴とする装置。
【請求項１０】
測定手段（３４，３５，３６，３７）も備え、該測定手段は、それらが連結される電極（５，７）と同じ励起電位（４２，４３）に基準付けられる請求項９に記載の装置。
【請求項１１】
前記測定手段（３４，３５，３６，３７）に連結されるとともに、前記基準電位（１３）に基準付けられる容量結合の代表的な測定値をもたらすことができる復調手段（３８，３９）も備える請求項１０に記載の装置。
【請求項１２】
少なくとも１つの電極を
幾つかの異なる励起電位（４２，４３）で、及び／又は、
少なくとも１つの励起電位（４２，４３）で或いは基準電位（１３）で分極できるようにする手段も備える請求項９から１１のいずれか一項に記載の装置。
【請求項１３】
請求項９から１２のいずれか一項に記載の容量検出のための装置を備えて、請求項１から８のいずれか一項に記載の方法を実施する機器。
【請求項１４】
ディスプレイスクリーンと、第１の励起電位（４２）で分極される第１のほぼ透明な電極（５）とを前記第１の面（４）上に備えるとともに、前記第２の励起電位（４３）で分極される第２の電極（７）を前記第１の面とは反対側の前記第２の面（１４）上に備える請求項１３に記載の機器。
【請求項１５】
以下のタイプ、すなわち、スマートフォン、タブレットのうちの１つである請求項１４に記載の機器。
【請求項１６】
互いに対して移動できる複数のモジュール（２１，２２）を備え、前記各モジュールは、他のモジュール（２１，２２）とは異なる励起電位（４２，４３）で分極される電極（５，７）を備える請求項１３に記載の機器。
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
タッチ検出のための方法であって、
第1の時間で記録された第1の複数のタッチ検出を備える第1のタッチデータを受信するステップと、
第2の時間で記録された第2の複数のタッチ検出を備える第2のタッチデータを受信するステップと、
いくつかのマッチについて、前記第1の複数のタッチ検出のうちの複数を、前記第2の複数のタッチ検出のうちの対応する複数にマッチングさせるステップであって、前記第1の複数のタッチ検出のうちの前記複数、および前記第2の複数のタッチ検出のうちの前記対応する複数が、第1のセットと第2のセットとを備え、マッチングさせるステップが、マッチごとに、
前記第1のセットと前記第2のセットとの間の回転および平行移動行列を算出するステップと、
結果を決定するために、前記回転および平行移動行列を前記第1のセットに適用するステップと、
前記結果と前記第2のセットとの間のユークリッド距離を計算するステップと
をさらに備える、ステップと、
前記いくつかのマッチから、最小ユークリッド距離を有するマッチを選択するステップと
を備える、方法。
【請求項２】
動きがしきい値速度を上回る、請求項1に記載の方法。
【請求項３】
前記第1の複数のタッチ検出の総数が、前記第2の複数のタッチ検出の総数と等しくない、請求項1に記載の方法。
【請求項４】
前記第1の複数のタッチ検出のうちの前記複数がちょうど2つの点を備えるか、または、
前記第1の複数のタッチ検出のうちの前記複数がちょうど3つの点を備えるか、または、
前記第1の複数のタッチ検出のうちの前記複数がちょうど4つの点を備える、請求項1に記載の方法。
【請求項５】
前記回転および平行移動行列が単一の行列を備える、請求項1に記載の方法。
【請求項６】
前記回転および平行移動行列を適用するステップが、結果を形成するために、前記第1のセット内の各点を前記回転および平行移動行列に乗算するステップを備える、請求項1に記載の方法。
【請求項７】
前記第1の複数のタッチ検出のうちの前記複数が前記第1のセットを備え、前記第2の複数のタッチ検出のうちの前記対応する複数が前記第2のセットを備える、請求項1に記載の方法。
【請求項８】
前記第1の複数のタッチ検出のうちの前記複数が前記第2のセットを備え、前記第2の複数のタッチ検出のうちの前記対応する複数が前記第1のセットを備える、請求項1に記載の方法。
【請求項９】
前記マッチを選択するステップが、しきい値距離未満のユークリッド距離を有する第1のマッチを選択するステップを備える、請求項1に記載の方法。
【請求項１０】
マッチングするステップが、網羅的なマッチングを備える、請求項1に記載の方法。
【請求項１１】
マッチングするステップが、前記いくつかのマッチにRANSAC (RANdom SAmple Consensus)順序を適用する、請求項1に記載の方法。
【請求項１２】
算出するステップが、
前記第1のセットの質量中心と、前記第2のセットの質量中心との間の平行移動を決定するステップと、
前記第1のセットと前記第2のセットとの間の角運動量を決定するステップと
を備える、請求項1に記載の方法。
【請求項１３】
いくつかの第2の手のマッチのために、前記第1の複数のタッチ検出のうちの複数を、前記第2の複数のタッチ検出のうちの対応する複数にマッチングさせるステップであって、前記第1の複数のタッチ検出のうちの前記複数、および前記第2の複数のタッチ検出のうちの前記対応する複数が、第3のセットと第4のセットとを備え、第2の手のマッチごとにマッチングさせるステップが、
前記第3のセットと前記第4のセットとの間の回転および平行移動行列を算出するステップと、
結果を決定するために、前記回転および平行移動行列を前記第3のセットに適用するステップと、
前記結果と前記第4のセットとの間のユークリッド距離を計算するステップと
をさらに備える、ステップと、
前記いくつかの第2の手のマッチから、最小ユークリッド距離を有する第2の手のマッチを選択するステップと
をさらに備える、請求項1に記載の方法。
【請求項１４】
タッチ検出のためのデバイスであって、
第1の時間で記録された第1の複数のタッチ検出を備える第1のタッチデータを受信するための手段と、
第2の時間で記録された第2の複数のタッチ検出を備える第2のタッチデータを受信するための手段と、
いくつかのマッチについて、前記第1の複数のタッチ検出のうちの複数を、前記第2の複数のタッチ検出のうちの対応する複数にマッチングさせるための手段であって、前記第1の複数のタッチ検出のうちの前記複数、および前記第2の複数のタッチ検出のうちの前記対応する複数が、第1のセットと第2のセットとを備え、前記マッチングさせるための手段が、マッチごとに、
前記第1のセットと前記第2のセットとの間の回転および平行移動行列を算出するための手段と、
結果を決定するために、前記回転および平行移動行列を前記第1のセットに適用するための手段と、
前記結果と前記第2のセットとの間のユークリッド距離を計算するための手段と
をさらに備える、手段と、
前記いくつかのマッチから、最小ユークリッド距離を有するマッチを選択するための手段を備える、手段と
を備える、デバイス。
【請求項１５】
請求項1〜13のいずれか一項に記載の方法を実行するためのプログラムコードを備える、記憶したプログラムコードを含む非一時的コンピュータ可読記憶媒体。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
−  円筒外面と前記円筒外面に少なくとも２つの軸方向に間隔を空けた円周方向溝とを備えた円筒ドラムコア素子であって、前記２つの円周方向溝間の分離ディスク部分と、前記２つの円周方向溝それぞれの前記分離ディスク部分から離れる方向の側にある２つの外側ディスク部分とを含む円筒ドラムコア素子と、
−  前記溝の第１の溝内に配置された少なくとも１つの第１の巻線と、
−  前記溝の第２の溝内に配置された少なくとも１つの第２の巻線と、
−  前記円筒ドラムコア素子の周囲に同軸上に配置された円筒シェルコア素子と、
−  前記円筒シェルコア素子と前記２つの外側ディスク部分それぞれとの間の２つの外側空隙と、
を含むマルチプル誘導素子であって、
前記分離ディスク部分は、前記円筒シェルコア素子と磁気的に短絡される、又は前記少なくとも１つの第１の巻線と前記少なくとも１つの第２の巻線とが磁気的に分離されるように前記２つの外側空隙の最も狭い空隙よりも狭い中央空隙によって前記円筒シェルコア素子から分離される、マルチプル誘導素子。
【請求項２】
前記円筒シェルコア素子と前記ドラムコア素子の前記分離ディスク部分との間に環状コア素子を含む、請求項１に記載のマルチプル誘導素子。
【請求項３】
前記ドラムコア素子の前記分離ディスク部分の外径は、前記分離ディスク部分の軸方向位置に対応する軸方向位置における前記円筒シェルコア素子の内径と等しい又はそれよりも僅かに小さい、請求項１に記載のマルチプル誘導素子。
【請求項４】
前記分離ディスク部分の直径の前記外径は、前記２つの外側ディスク部分の最も小さい方の外径よりも大きく、好ましくは、前記分離ディスク部分の直径の前記外径は、前記２つの外側ディスク部分の最も大きい方の外径よりも大きい、請求項３に記載のマルチプル誘導素子。
【請求項５】
前記分離ディスク部分の前記軸方向位置に対応する前記円筒シェルコア素子の前記軸方向位置において、前記円筒シェルコア素子は、その内面上に、内側方向環状突起が備わっている、請求項３に記載のマルチプル誘導素子。
【請求項６】
前記円筒シェルコア素子の前記内側方向環状突起の内径は、前記２つの外側ディスク部分の最も小さい方の外径よりも大きく、好ましくは、前記円筒シェルコア素子の前記内側方向環状突起の前記内径は、前記２つの外側ディスク部分の最も大きい方の外径よりも大きい、請求項５に記載のマルチプル誘導素子。
【請求項７】
前記溝の少なくとも一方は、２つ以上の巻線を含む、請求項１に記載のマルチプル誘導素子。
【請求項８】
１つ又は複数の巻線を含む少なくとも１つの追加の溝を更に含む、請求項１に記載のマルチプル誘導素子。
【請求項９】
互いに独立して動作する第１の誘導素子及び第２の誘導素子を含む電子回路であって、この回路は、請求項１に記載の前記マルチプル誘導素子を含み、前記第１の巻線は前記第１の誘導素子を実現し、前記第２の巻線は前記第２の誘導素子を実現する、電子回路。
【請求項１０】
前記第１の誘導素子は、電力段のインダクタであるか、フィルタ段のインダクタであるか、共鳴段のインダクタであるか、変圧器であるか、又は結合インダクタであり、前記第２の誘導素子は、電力段のインダクタであるか、フィルタ段のインダクタであるか、共鳴段のインダクタであるか、変圧器であるか、又は結合インダクタである、請求項９に記載の電子回路。
【請求項１１】
請求項１に記載の少なくとも１つのマルチプル誘導素子を含む、スイッチモード変換器。
【請求項１２】
第１のインダクタを含むＰＦＣ段と、前記第１のインダクタとは独立して動作する第２のインダクタを含むＤＣ／ＤＣ段とを含み、前記第１の巻線は前記第１のインダクタを実現し、前記第２の巻線は前記第２のインダクタを実現する、請求項１１に記載のスイッチモード変換器。
【請求項１３】
請求項１１に記載のスイッチモード変換器を含む、ＬＥＤドライバ。
【請求項１４】
請求項１３に記載のＬＥＤドライバを含む、ＬＥＤレトロフィットランプ。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
対象中で１つ以上の結腸バクテリア集団を増加させるための食用組成物であって、
前記食用組成物が、可溶性コーンファイバーと、パラバクテロイデス（Ｐａｒａｂａｃｔｅｒｏｉｄｅｓ）属、バクテロイデス（Ｂａｃｔｅｒｏｉｄｅｓ）属、ブチリキコッカス（Ｂｕｔｙｒｉｃｉｃｏｃｃｕｓ）属、オシリバクター（Ｏｓｃｉｌｌｉｂａｃｔｅｒ）属、ジアリスタ（Ｄｉａｌｉｓｔｅｒ）属、ビフィドバクテリウム（Ｂｉｆｉｄｏｂａｃｔｅｒｉｕｍ）属、アリスティペス（Ａｌｉｓｔｉｐｅｓ）属、アナエロコッカス（Ａｎａｅｒｏｃｏｃｃｕｓ）属、カテニバクテリウム（Ｃａｔｅｎｉｂａｃｔｅｒｉｕｍ）属、クロストリジアーレス（Ｃｌｏｓｔｒｉｄｉａｌｅｓ）目内の属、ルミノコッカセエ（Ｒｕｍｉｎｏｃｏｃｃａｃｅａｅ）科内の属、アケルマンシア（Ａｋｋｅｒｍａｎｓｉａ）属、及びラクノスピラセエ（Ｌａｃｈｎｏｓｐｉｒａｃｅａｅ）科内の属から選択された１つ以上のバクテリア集団を含む、前記食用組成物。
【請求項２】
請求項１に記載の食用組成物であって、可溶性コーンファイバーが、
・デンプンの加水分解により製造された少なくとも１種のシロップおよび線状糖類オリゴマーを含有し、かつ、少なくとも９０質量％の固体濃度を有する、コーンスターチの加水分解により製造されたシロップを含有する水性供給組成物を提供するステップ；と、
前記供給組成物を、０．１〜１５分の間、少なくとも１４９℃の温度で、グリコシル結合の分解または形成速度を加速化する少なくとも１つの触媒と、非線状糖類オリゴマーの形成を誘導するのに十分な時間接触させるステップ；
を含むプロセスにより得られ、その際、前記触媒は、前記供給組成物のｐＨを１．０〜２．５に調整するのに十分な量で供給組成物に添加される酸であり、その際、生成組成物が形成され、かつ、前記生成組成物中で、非線状糖類オリゴマーの濃度は線状糖類オリゴマーの濃度よりも少なくとも２倍高く、かつ、少なくとも３の重合度を有する非線状糖類オリゴマーの濃度は乾燥固形分を基準として少なくとも５０質量％であり、その際、前記生成組成物は主に難消化性または主に遅消化性であり、その際、前記生成組成物は、残留単糖類を、乾燥固形分を基準として５０質量％未満含有し、その際、糖類オリゴマーは２〜３０の重合度を有するものである、前記食用組成物。
【請求項３】
請求項１に記載の食用組成物であって、可溶性コーンファイバー中で、非線状糖類オリゴマーの濃度は線状糖類オリゴマーの濃度より少なくとも２倍高く、かつ、少なくとも３の重合度を有する非線状糖類オリゴマーの濃度は乾燥固形分を基準として少なくとも５０質量％であり、その際、生成組成物は、主に難消化性または主に遅消化性であり、その際、生成組成物は、残留単糖類を、乾燥固形分を基準として５０％未満含有しており、その際、糖類オリゴマーは２〜３０の重合度を有する、前記食用組成物。
【請求項４】
ブチリキコッカス（Ｂｕｔｙｒｉｃｉｃｏｃｃｕｓ）属、オシリバクター（Ｏｓｃｉｌｌｉｂａｃｔｅｒ）属及びジアリスタ（Ｄｉａｌｉｓｔｅｒ）属から選択された１つ以上のバクテリア集団を含む、請求項１から３までのいずれか１項に記載の食用組成物。
【請求項５】
２以上のバクテリア集団を含み、それぞれがブチリキコッカス（Ｂｕｔｙｒｉｃｉｃｏｃｃｕｓ）属、オシリバクター（Ｏｓｃｉｌｌｉｂａｃｔｅｒ）属及びジアリスタ（Ｄｉａｌｉｓｔｅｒ）属から選択される異なる属に由来する、請求項１から３までのいずれか１項に記載の食用組成物。
【請求項６】
パラバクテロイデス（Ｐａｒａｂａｃｔｅｒｏｉｄｅｓ）属、ビフィドバクテリウム（Ｂｉｆｉｄｏｂａｃｔｅｒｉｕｍ）属、アリスティペス（Ａｌｉｓｔｉｐｅｓ）属、アナエロコッカス（Ａｎａｅｒｏｃｏｃｃｕｓ）属、カテニバクテリウム（Ｃａｔｅｎｉｂａｃｔｅｒｉｕｍ）属、クロストリジアーレス（Ｃｌｏｓｔｒｉｄｉａｌｅｓ）目内の属、及びルミノコッカセエ（Ｒｕｍｉｎｏｃｏｃｃａｃｅａｅ）科内の属から選択される１つ以上のバクテリア集団を含む、請求項１から５までのいずれか１項に記載の食用組成物。
【請求項７】
アケルマンシア（Ａｋｋｅｒｍａｎｓｉａ）属、及びラクノスピラセエ（Ｌａｃｈｎｏｓｐｉｒａｃｅａｅ）科内の属から選択される１つ以上のバクテリア集団を含む、請求項１から６までのいずれか１項に記載の食用組成物。
【請求項８】
組成物が１回分当たり少なくとも２．５ｇの可溶性コーンファイバーを含む、請求項１から７までのいずれか１項に記載の食用組成物。
【請求項９】
組成物が１回分当たり約１００ｇ以下の可溶性コーンファイバーを含む、請求項１から８までのいずれか１項に記載の食用組成物。